(57)【要約】【課題】ターンシグナルランプをハウジングカバーのところに一体的に設ける。【解決手段】ベッセル状の形態からなるものであって内部にミラー５及び当該ミラー５駆動用のアクチュエータ６等の収容されるミラーハウジング９と、当該ミラーハウジング９の外側に設けられるものであって所定のプラスチック材にて形成されるハウジングカバー１と、からなるドアミラー装置に関して、上記ハウジングカバー１のところに、凹陥状の形態からなるものであって、ターンシグナルランプ用部品３の収容されるターンシグナルランプ用収容部１１を一体的に設け、このような凹陥部からなるターンシグナルランプ用収容部１１内にターンシグナルランプ用部品３を収容した状態で、収容部１１の開口部１１１のところを塞ぐように透明体からなるレンズ２を設ける。【選択図】図１
2005161913.tif 000002
【特許請求の範囲】
【請求項１】
ミラーあるいはアクチュエータ等の収容されるものであってベッセル状の形態からなるミラーハウジング、及び当該ミラーハウジングの外側に設けられるものであって当該ミラーハウジングを覆うように設けられるハウジングカバーを有するとともに、当該ハウジングカバーのところに、当該ハウジングカバーの一部に凹陥状の形態からなるターンシグナルランプ用収容部を一体的に設け、当該ターンシグナルランプ用収容部のところに所定のターンシグナルランプ用部品を収容し、更に、これら部品の収容されたターンシグナルランプ用収容部の開口部のところを透明体からなるレンズにて覆うようにした構成からなることを特徴とするターンシグナルランプ付きドアミラー装置。
【請求項２】
請求項１記載のターンシグナルランプ付きドアミラー装置において、上記レンズを、上記凹陥状の形態からなるターンシグナルランプ用収容部の開口部のところに、所定の接着手段を用いて取り付けるようにしたことを特徴とするターンシグナルランプ付きドアミラー装置。
【請求項３】
請求項１記載のターンシグナルランプ付きドアミラー装置において、上記レンズを所定の熱可塑性プラスチック材にて形成させるとともに、当該レンズを、上記凹陥状の形態からなるターンシグナルランプ用収容部の開口部のところに、所定の溶着手段を用いて取り付けるようにしたことを特徴とするターンシグナルランプ付きドアミラー装置。
【発明の詳細な説明】
【技術分野】
【０００１】
本発明は、ターンシグナルランプをドアミラーの背面側に設けるようにしたターンシグナルランプ付きのドアミラー装置に関するものであり、特に、ターンシグナルランプをドアミラー装置を形成するハウジングカバーのところに一体的に設けるようにしたターンシグナルランプ付きドアミラー装置に関するものである。
【背景技術】
【０００２】
最近の乗用車等においては、例えば特開平１０−２９７３６２号公報記載のものの如く、ドアミラーのハウジングの一部に補助的なターンシグナルランプを取り付けるようにしたものが挙げられる。このような補助的なターンシグナルランプをドアミラー装置の一部に取り付けることによって、周りに居る歩行者、あるいは斜め後方の後続車両等に自車のターン方向を的確に認識させることができるようになり、歩行者の安全性確保、あるいは車両の走行安全性の向上等が図られるようになる。
【特許文献１】特開平１０−２９７３６２号公報
【発明の開示】
【発明が解決しようとする課題】
【０００３】
ところで、上記従来のものは、ターンシグナルランプの設置に当たって、ミラーハウジングの一部に切欠部を設けるとともに、ここのところに、別体のものからなるターンシグナルランプ装置を、ビスネジ等からなる所定の締結手段を用いて取り付けるようにしているものである。従って、この従来のものにおいては、別体のものからなるターンシグナルランプ装置のドアミラーハウジングへの取付作業等が増えることとなり、ドアミラー装置の組立作業等が煩雑にならざるを得ないと言う問題点がある。また、部品点数も全体的に増えることとなり、ドアミラー装置全体の製造コストの増加をまねくと言う問題点がある。このような問題点を解決するために、ターンシグナルランプを、ドアミラー装置を形成するハウジングカバーのところに、当該ハウジングカバーと一体的に設けるようにし、これによって、部品点数の削減化及び組立工数の低減化、更には、ターンシグナルランプに関する部品交換の容易さ等を図るようにしたターンシグナルランプ付きのドアミラー装置を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、ドアミラー装置の一部にターンシグナルランプ装置を有するターンシグナルランプ付きドアミラー装置に関して、ミラーあるいはアクチュエータ等の収容されるものであってベッセル状の形態からなるミラーハウジング、及び当該ミラーハウジングの外側に設けられるものであって当該ミラーハウジングを覆うように設けられるハウジングカバーを有するとともに、当該ハウジングカバーのところに、当該ハウジングカバーの一部に凹陥状の形態からなるターンシグナルランプ用収容部を一体的に設け、当該ターンシグナルランプ用収容部のところに所定のターンシグナルランプ用部品を収容し、更に、これら部品の収容されたターンシグナルランプ用収容部の開口部のところを透明体からなるレンズにて覆うようにした構成を採ることとした。
【０００５】
次に、請求項２記載の発明である第二の発明においては、上記第一の発明におけるターンシグナルランプ付きドアミラー装置に関して、上記レンズを、上記凹陥状の形態からなるターンシグナルランプ用収容部の開口部のところに、所定の接着手段を用いて取り付けるようにした構成を採ることとした。
【０００６】
次に、請求項３記載の発明である第三の発明においては、上記第一の発明におけるターンシグナルランプ付きドアミラー装置に関して、上記レンズを所定の熱可塑性プラスチック材にて形成させるとともに、当該レンズを、上記凹陥状の形態からなるターンシグナルランプ用収容部の開口部のところに、所定の溶着手段を用いて取り付けるようにした構成を採ることとした。
【発明の効果】
【０００７】
請求項１記載の発明である第一の発明によれば、ターンシグナルランプ用収容部が、ハウジングカバーのところに、例えばインジェクション成形手段等を用いて、一体的に、かつ、同時に成形されるようになるので、ターンシグナルランプ装置に関する部品点数の削減化が図られ、部品管理コスト等を含めた全体の製造コストの低減化が図られるようになる。また、このようにハウジングカバーと一体的に形成されたターンシグナルランプ用収容部のところに、ターンシグナルランプを形成する各種部品が装着されるとともに、その外側のところにレンズが装着される（取付けられる）ことによって、ターンシグナルランプ装置がハウジングカバーを介してドアミラー装置のところに一体的に形成されるようになる。その結果、ターンシグナルランプ付きドアミラー装置が効率良く形成されるようになり、本ドアミラー装置の製造コストの低減化が図られるようになる。また、ターンシグナルランプ装置を形成する部品、例えばランプバルブ等の交換作業をはじめとしたターンシグナルランプ装置の維持作業を、ハウジングカバー単位で行うことができるようになり、ターンシグナルランプ装置の維持管理コストの低減化を図ることができるようになる。
【０００８】
次に、請求項２記載の発明である第二の発明によれば、上記ターンシグナルランプ用収容部の開口部のところに設けられるレンズが、上記開口部のところに、所定の接着剤を用いた接着手段にて取付けられるようになっているので、レンズの装着（取付け）作業が効率良く進められるようになる。その結果、本ターンシグナルランプ付きドアミラー装置の生産性の向上が図られるようになる。また、上記レンズが、上記ハウジングカバーのところに一体的に形成されたターンシグナルランプ用収容部のところに、接着手段にて確実に装着されるようになり、従来のものにおいて懸念されていた上記ターンシグナルランプ装置周りからの異音の発生等が効果的に抑制されるようになる。
【０００９】
次に、請求項３記載の発明である第三の発明によれば、ターンシグナルランプ用収容部の開口部のところに設けられるレンズの上記開口部への装着方法が、熱溶着手段を初めとした各種溶着手段にて行われるようになっていることより、レンズの上記ターンシグナルランプ用収容部への取付作業（装着作業）が効率良く進められるようになる。その結果、ターンシグナルランプ装置は、ハウジングカバーのところに一体的に形成されるようになり、本ドアミラー装置全体の組立作業の効率化が図られるようになる。また、これに伴って、本ドアミラー装置全体の製造コストの低減化が図られるようになる。
【発明を実施するための最良の形態】
【００１０】
本発明を実施するための最良の形態について、図１ないし図３を基に説明する。本実施の形態にかかるものは、図１に示す如く、ベッセル状の形態からなるものであって所定のプラスチック材にて形成されるミラーハウジング９と、当該ミラーハウジング９の外側に、当該ミラーハウジングを全体的に覆うように設けられるハウジングカバー１と、からなることを基本とするものである。そして、このようなハウジングカバー１の一部には凹陥状の形態からなるターンシグナルランプ用収容部１１が一体的に設けられるようになっている。そして更に、当該ターンシグナルランプ用収容部１１内には所定のターンシグナルランプ用部品３が収容された状態で、その外側にはターンシグナルランプ用収容部１１を覆うように形成されるレンズ２が設けられるようになっているものである。また、このようなハウジングカバー１の取付けられる、その基礎となるミラーハウジング９内には、図１に示す如く、ミラー５、更には当該ミラー５を駆動するアクチュエータ６等が収容されて、ターンシグナルランプ付きのドアミラー装置が形成されるようになっているものである。
【００１１】
このような構成からなるものにおいて、上記ハウジングカバー１のターンシグナルランプ用収容部１１内には、図１ないし図３に示す如く、光源を含む基板３１及びリフレクタ３２等からなるターンシグナルランプ用部品３が収容されるとともに、上記ターンシグナルランプ用収容部１１の開口部１１１のところには、図２及び図３に示す如く、透明体からなるレンズ２が、その全周がシールされた状態で取付けられるようになっているものである。これによって、ターンシグナルランプ装置がハウジングカバー１のところに一体的に形成され、このようなハウジングカバー１がミラーハウジング９のところに取付けられることによって、ターンシグナルランプ装置を有するドアミラー装置が一体的に形成されることとなる。
【００１２】
次に、このような構成からなるターンシグナルランプ装置を形成するレンズ２の上記ハウジングカバー１に形成されたターンシグナルランプ用収容部１１の、その開口部１１１への取付方法（構造）について、図２及び図３を基に説明する。まず、第一の実施例として挙げられるものは接着手段によるものである。このものは、例えば図２に示す如く、ハウジングカバー１のターンシグナルランプ用収容部１１の開口部１１１のところに、その全周にわたって所定の接着剤７を設けておくとともに、この接着剤７を介して、透明体からなるレンズ２の、その周辺部２１のところを、上記開口部１１１に接合させるようにしたものである。このように、本実施例のものにおいては、ハウジングカバー１とターンシグナルランプ用収容部１１とがプラスチック材にて一体的に形成されていること、更には、このようなターンシグナルランプ用収容部１１の開口部１１１のところにはレンズ２が接着剤７を介して確実に接合されるようになっていることによって、ターンシグナルランプ装置周りからは、異常な振動や、これに伴う異音等が生じないようになる。すなわち、従来のものにおいて懸念されていた異音の発生や微振動の発生等が効果的に抑止されるようになる。また、ターンシグナルランプ装置の設けられるハウジングカバー１自体を、ＡＢＳ樹脂材にて一体成形し、その後に表面に塗装処理を施すことによって製造原価の低減化を図ることができるようになる。また、ハウジングカバー１全体を、予め着色剤の混合された着色原材料にて一体成形をすることによって、ハウジングカバー１の製造コストの低減化を図ることができるようになる。
【００１３】
次に、上記レンズ２のターンシグナルランプ用収容部１１の、その開口部１１１への取付方法（取付構造）に関する第二の実施例について、図３を基に説明する。このものも、その基本的な点は上記第一の実施例のものと同じである。異なるところは、レンズ２の開口部１１１周りへの接合を、熱溶着手段、振動溶着手段、超音波溶着手段等の各種溶着手段にて行わせるようにしたことである。具体的には、図３に示す如く、ターンシグナルランプ用収容部１１の開口部１１１の周りに断面形状が突起状の形態からなる接合部１１５を設けておくとともに、レンズ２を所定の熱可塑性プラスチック材にて形成させ、更に、当該レンズ２の周辺部に上記開口部１１１周辺部に形成された接合部１１５と突き合わせ接合ができるように形成されたフランジ部２５を設けておくようにする。
【００１４】
このような構成からなるものにおいて、上記レンズ２側に設けられたフランジ部２５あるいはターンシグナルランプ用収容部１１側に設けられた接合部１１５のうちの少なくともいずれか一方側を、所定の発熱手段にて溶融状態に加熱する。そして、上記両者２５、１１５間を押圧して両者２５、１１５を溶着させる。これによって、レンズ２は、そのフランジ部２５を介してターンシグナルランプ用収容部１１の、その開口部１１１周りに設けられた接合部１１５のところに確実に取り付けられることとなる。このようにしてレンズ２が取り付けられることによって、ハウジングカバー１のところに、ターンシグナルランプ装置が一体的に形成されることとなる。そして、このようなハウジングカバー１を、図１に示す如く、ミラーハウジング９のところに取付けることによって、ターンシグナルランプ装置を有するドアミラー装置が効率良く形成されることとなる。また、このようにして形成されたターンシグナルランプ付きのドアミラー装置においては、ターンシグナルランプ装置取付部等からの異音の発生等が効果的に抑制されるようになる。
【００１５】
なお、このようにしてターンシグナルランプ装置が一体的に設けられるようになったハウジングカバー１を、ミラーハウジング９の外側に、当該ミラーハウジング９を覆うように被せることによって、ターンシグナルランプ装置を有するドアミラー装置が形成されることとなるが、上記ハウジングカバー１とミラーハウジング９との結合方法としては、図１に示す如く、ハウジングカバー１の裏面側に設けられた適宜数の係合爪１９を、ミラーハウジング９の表面側に設けられた係合部９１のところに係合させることによって行わせるようになっている。すなわち、上記係合爪１９及び係合部９１を介して、ハウジングカバー１はミラーハウジング９の外側に、当該ミラーハウジング９を覆うように装着されるようになる。
【００１６】
このような構成からなるハウジングカバー１がミラーハウジング９の外側に被せられることによって、本実施の形態にかかるミラーハウジング９は、その表面側、具体的にはハウジングカバー１の装着される（被せられる）側については、その見栄えを、特に考慮する必要が無くなる。すなわち、ミラーハウジング９の表面側は粗仕上げのままで良い。これらのことから、ミラーハウジング９の表面側の仕上げ加工を粗い状態のままにすることができるようになり、ミラーハウジング９の製造コストの低減化を図ることができるようになる。また、ハウジングカバー１は比較的安価なＡＢＳ樹脂材を用いて一体成形をした後に、表面側に塗装処理をするか、または、予め着色剤の混合された着色原材料にて一体成形を施すことによって比較的安価に形成させる（製造する)ことができるようになる。
【図面の簡単な説明】
【００１７】
【図１】本発明の全体構成を示す展開斜視図である。
【図２】本発明におけるレンズとハウジングカバーに設けられたターンシグナルランプ用収容部開口部との間を接着手段を用いて接合させるようにした状態を示す展開図である。
【図３】本発明におけるレンズとターンシグナルランプ用収容部との間を溶着手段を用いて接合させるようにした状態を示す展開図である。
【符号の説明】
【００１８】
１  ハウジングカバー
１１  ターンシグナルランプ用収容部
１１１  開口部
１１５  接合部
１９  係合爪
２  レンズ
２１  周辺部
２５  フランジ部
３  ターンシグナルランプ用部品
３１  基板
３２  リフレクタ
５  ミラー
６  アクチュエータ
７  接着剤
９  ミラーハウジング
９１  係合部
【図１】
2005161913.tif 000003
【図２】
2005161913.tif 000004
【図３】
2005161913.tif 000005